(57)【特許請求の範囲】
【請求項１】
入射する複数の光束の光軸と直交する方向から見て、入射角略４５度となるように略Ｘ字状に配置される４つの反射面を有し、略Ｘ字状の一方の延出方向に沿った一組の反射面が、他の一組の反射面と異なる波長域の光束を反射するように構成された色合成光学素子と、この色合成光学素子における前記Ｘ字状の反射面に交差する端面に接着固定される固定板とを備える色合成光学系の製造方法であって、
前記固定板に設定された基準位置に対して、前記一組の反射面および前記他の一組の反射面が交わる交線を位置調整する基準位置調整手順と、
位置調整された前記交線を中心として、前記固定板に対する各反射面の回転位置を調整する回転位置調整手順と、
前記固定板の接着面に対する各反射面の倒れ位置を調整する倒れ位置調整手順と、
これらの調整手順終了後、前記色合成光学素子を前記固定板に対して接着固定する接着固定手順とを備えることを特徴とする色合成光学系の製造方法。
【請求項２】
請求項１に記載の色合成光学系の製造方法において、
前記基準位置調整手順は、前記交線の画像を、撮像素子および画像取込装置を介してコンピュータに取り込んで画像処理を行うことにより実施することを特徴とする色合成光学系の製造方法。
【請求項３】
請求項１または請求項２に記載の色合成光学系の製造方法において、
前記回転位置調整手順は、前記色合成光学素子のいずれかの反射面に入射角略４５度で測定光を導入する測定光導入ステップと、導入された測定光の戻り光を検出する戻り光検出ステップと、検出された戻り光に基づいて、前記反射面の回転位置を調整する反射面回転位置調整ステップとを備えることを特徴とする色合成光学系の製造方法。
【請求項４】
請求項１〜請求項３のいずれかに記載の色合成光学系の製造方法において、
前記倒れ位置調整手順は、前記色合成光学素子のいずれかの反射面に入射角略４５度で測定光を導入する測定光導入ステップと、導入された測定光の戻り光を検出する戻り光検出ステップと、検出された戻り光に基づいて、前記反射面の倒れ位置を調整する反射面倒れ位置調整ステップとを備えることを特徴とする色合成光学系の製造方法。
【請求項５】
請求項４に記載の色合成光学系の製造方法において、
前記回転位置調整手順および前記倒れ位置調整手順は、前記戻り光を撮像素子および画像取込装置を介してコンピュータに取り込んで画像処理を行うことにより実施することを特徴とする色合成光学系の製造方法。
【請求項６】
請求項１〜請求項５のいずれかに記載の色合成光学系の製造方法において、
前記色合成光学素子のいずれかの反射面に入射角４５度で測定光を導入する測定光導入ステップと、導入された測定光の戻り光を検出する戻り光検出ステップと、前記測定光を、前記いずれかの反射面の延出方向に沿った他の反射面に切り替えて導入する測定光切替ステップと、切替後の測定光の戻り光を検出して、前記いずれかの反射面に対する他の反射面の偏差を求め、前記色合成光学素子の良否を判定する良否判定ステップとを備えることを特徴とする色合成光学系の製造方法。
【請求項７】
入射する複数の光束の光軸と直交する方向から見て、入射角略４５度となるように略Ｘ字状に配置される４つの反射面を有し、略Ｘ字状の一方の延出方向に沿った一組の反射面が、他の一組の反射面と異なる波長域の光束を反射するように構成された色合成光学素子と、この色合成光学素子における前記Ｘ字状の反射面に交差する端面に接着固定される固定板とを備える色合成光学系の製造装置であって、
前記固定板が取り付けられる台座と、
この台座に取り付けられた固定板に対する前記色合成光学素子の位置調整を行う位置調整機構と、
前記４つの反射面のいずれかの反射面に入射角略４５度で測定光を導入する測定光導入部と、
導入された測定光の戻り光を検出する戻り光検出部と、
前記測定光を、前記いずれかの反射面の延出方向に沿った他の反射面に切り替えて導入する測定光切替部とを備えることを特徴とする色合成光学系の製造装置。
【請求項８】
請求項７に記載の色合成光学系の製造装置において、
前記一組の反射面および他の一組の反射面が交わる交線の画像を取り込む基準位置画像処理部を備えることを特徴とする色合成光学系の製造装置。
【請求項９】
請求項７または請求項８に記載の色合成光学系の製造装置において、
前記測定光導入部および前記戻り光導入部は、オートコリメータとして一体的に構成されていることを特徴とする色合成光学系の製造装置。
【請求項１０】
請求項７〜請求項９のいずれかに記載の色合成光学系の製造装置において、
前記戻り光検出部に接続された撮像素子で撮像された戻り光の画像を、画像取込装置を介して取り込んで画像処理を行う画像処理部を備えることを特徴とする色合成光学系の製造装置。
【請求項１１】
請求項１０に記載の色合成光学系の製造装置において、
前記画像処理部における前記いずれか一組の反射面を構成する反射面のそれぞれで反射した戻り光の画像処理結果に基づいて、２つの反射面間の角度を測定する角度測定部と、この測定された角度が規格値の範囲内であるか否かを判定する良否判定部とを備えることを特徴とする色合成光学系の製造装置。
【請求項１２】
請求項７〜請求項１１のいずれかに記載の色合成光学系の製造装置において、
前記反射面で反射された光束を反射して戻り光として前記戻り光検出部に導入する反射部材を備えることを特徴とする色合成光学系の製造装置。
【請求項１３】
請求項１〜請求項６のいずれかに記載の色合成光学系の製造方法を含むプロジェクタの製造方法。
【発明の詳細な説明】
【０００１】
【発明の属する技術分野】
本発明は、色合成光学系の製造方法、色合成光学系の製造装置、およびプロジェクタの製造方法に関する。
【０００２】
【背景技術】
従来、光源から射出された光束をダイクロイックミラーを用いて三色の色光Ｒ，Ｇ，Ｂに分離する色分離光学系と、分離された光束を色光毎に画像情報に応じて変調する３枚の光変調装置（液晶パネル）と、各液晶パネルで変調された光束を合成する色合成光学系とを備える三板式のプロジェクタが知られている。
この色合成光学系は、色分離光学系等が収納される光学部品用筐体に機械的に固定される固定板と、この固定板に接着固定される色合成光学素子としてのクロスダイクロイックプリズムとを備え、プリズムユニットとして一体的に構成されている（例えば、特許文献１参照）。
【０００３】
このクロスダイクロイックプリズムは、４つの直角プリズムを各界面に沿って貼り合わせて形成された略立方体状のプリズムである。略立方体の側面において、３つの側面は、対向配置された液晶パネルで変調された色光が入射される光束入射端面とされ、残りの１つの側面は、入射された光束を合成した合成光が射出される光束射出端面とされている。
また、４つの貼り合わせ面において、延出方向に沿った２つの反射面の組みには、所定波長域を有する赤色光を反射する誘電体多層膜が設けられ、また、延出方向に沿った他の２つの反射面の組みには、前述とは異なる波長域を有する青色光を反射する誘電体多層膜が設けられている。つまり、クロスダイクロイックプリズムの内部には、４つの反射面が略Ｘ字状に配置されている。従って、鮮明な投写画像を得るためには、これらの略Ｘ字状の４つの反射面が各液晶パネルに対して所定方向に確実に向いている必要がある。
【０００４】
このため、従来は、クロスダイクロイックプリズムの上面側からＣＣＤカメラ等によって撮像しつつ、クロスダイクロイックプリズムの外形寸法を固定板の基準線に合致させるとともに、各直角プリズムの端部同士を突きあわせて形成される交線、すなわち、赤色光を反射する反射面と青色光を反射する反射面との交線の平面位置（交点）を固定板の基準点に合致させることにより、固定板に対するクロスダイクロイックプリズムの位置を調整していた。
【０００５】
【特許文献１】
特開２０００−２２１５８８号公報
【０００６】
【発明が解決しようとする課題】
しかしながら、このような方法では、クロスダイクロイックプリズムの外形を基準として、固定板に対するクロスダイクロイックプリズムの平面位置を調整するだけであるため、あおり方向と呼ばれるクロスダイクロイックプリズムの倒れ位置を正確に調整できず、製造されたプリズムユニットの精度にばらつきが生じていた。このため、プリズムユニットの歩留まりが低下し、製造コスト高につながっていた。
【０００７】
本発明の目的は、固定板に対する色合成光学素子の取り付け精度を向上できるとともに、コストを抑えて効率的に製造できる色合成光学系の製造方法、色合成光学系の製造装置、およびプロジェクタの製造方法を提供することにある。
【０００８】
【課題を解決するための手段】
本発明に係る色合成光学系の製造方法は、入射する複数の光束の光軸と直交する方向から見て、入射角略４５度となるように略Ｘ字状に配置される４つの反射面を有し、略Ｘ字状の一方の延出方向に沿った一組の反射面が、他の一組の反射面と異なる波長域の光束を反射するように構成された色合成光学素子と、この色合成光学素子における前記Ｘ字状の反射面に交差する端面に接着固定される固定板とを備える色合成光学系の製造方法であって、前記固定板に設定された基準位置に対して、前記一組の反射面および前記他の一組の反射面が交わる交線を位置調整する基準位置調整手順と、位置調整された前記交線を中心として、前記固定板に対する各反射面の回転位置を調整する回転位置調整手順と、前記固定板の接着面に対する各反射面の倒れ位置を調整する倒れ位置調整手順と、これらの調整手順終了後、前記色合成光学素子を前記固定板に対して接着固定する接着固定手順とを備えることを特徴とする。
【０００９】
ここで、接着固定手順としては、例えば、位置調整された色合成光学素子と固定板との間に流動性のある接着剤等を流し込むことにより固定する構成を採用できる。また、位置調整を行う前に、予め、色合成光学素子と固定板との間に未硬化状態で流動性のある光硬化型接着剤を設け、位置調整手順終了後に、この光硬化型接着剤に、色合成光学素子の上方等から紫外線等の光線を照射して硬化させる構成も採用できる。
【００１０】
このような発明によれば、基準位置調整手順において、固定板の基準位置に対して色合成光学素子を位置調整した上で、回転位置調整手順において、固定板に対する色合成光学素子の回転位置を調整できることに加えて、倒れ位置調整手順において、色合成光学素子を構成する反射面の倒れ位置の調整も行うことができるため、上方から見た色合成光学素子の外形や交線の平面位置に基づいて位置調整する場合に比べて、固定板に対する色合成光学素子の取り付け精度を向上できる。これにより、色合成光学系の品質のばらつきを抑えることができるため、製造コストを抑えて効率的に色合成光学系を製造できる。
【００１１】
以上の色合成光学系の製造方法において、前記基準位置調整手順は、前記交線の画像を、撮像素子および画像取込装置を介してコンピュータに取り込んで画像処理を行うことにより実施することが好ましい。
この場合には、例えば、ＣＣＤ（Charge Coupled Device）、ＭＯＳ（Metal Oxide Semiconductor）センサ等の撮像素子と、これらの撮像素子から入力された信号をコンピュータ用の画像信号に変換するビデオキャプチャボード等の画像取込装置を利用できる。
これらの撮像素子および画像取込装置を用いることにより、基準位置調整手順において、固定板の基準位置に交線を正確にかつ自動的に合わせることができ、固定板に対する色合成光学素子の取り付け精度をより一層向上できる。
【００１２】
以上の色合成光学系の製造方法において、前記回転位置調整手順は、前記色合成光学素子のいずれかの反射面に入射角略４５度で測定光を導入する測定光導入ステップと、導入された測定光の戻り光を検出する戻り光検出ステップと、検出された戻り光に基づいて、前記反射面の回転位置を調整する反射面回転位置調整ステップとを備えることが好ましい。
さらに、前記倒れ位置調整手順は、前記色合成光学素子のいずれかの反射面に入射角略４５度で測定光を導入する測定光導入ステップと、導入された測定光の戻り光を検出する戻り光検出ステップと、検出された戻り光に基づいて、前記反射面の倒れ位置を調整する反射面倒れ位置調整ステップとを備えることが好ましい。
【００１３】
これらの場合には、例えば、測定光導入ステップにおいて、いずれかの反射面に測定光を導入し、戻り光導入ステップにおいて、この導入された測定光が反射面で反射された後に、色合成光学素子の端面で反射され、さらに、反射面で反射されて構成された戻り光を検出する。ここで、反射面に対する測定光の入射角が４５度になっていない場合には、反射面での２回の反射により、戻り光は、導入した測定光の設計上の位置とは異なる位置に射出されることになる。すなわち、色合成光学素子が回転方向にずれている場合には、測定光の位置と戻り光の位置とが水平方向にずれることになる。一方、色合成光学素子が倒れ方向にずれている場合には、測定光の位置と戻り光の位置とが垂直方向にずれることになる。このため、反射面回転位置調整ステップおよび反射面倒れ位置調整ステップにおいて、測定光の位置と戻り光の位置との間の水平，垂直位置のずれをなくして、測定光の位置と戻り光の位置とを合致させることにより、反射面の回転位置および倒れ位置を確実に調整できる。
【００１４】
ここで、前記回転位置調整手順および前記倒れ位置調整手順は、前記戻り光を撮像素子および画像取込装置を介してコンピュータに取り込んで画像処理を行うことにより実施することが好ましい。
この場合には、戻り光を撮像素子で撮像し、この撮像された戻り光の画像を画像取込装置で取り込んで画像処理を行うので、戻り光の検出を正確で、かつ自動的に実施でき、色合成光学素子の取り付け精度の向上に加えて、取り付け作業の迅速化および簡素化を図ることができる。
【００１５】
以上の色合成光学系の製造方法において、前記色合成光学素子のいずれかの反射面に入射角略４５度で測定光を導入する測定光導入ステップと、導入された測定光の戻り光を検出する戻り光検出ステップと、前記測定光を、前記いずれかの反射面の延出方向に沿った他の反射面に切り替えて導入する測定光切替ステップと、切替後の測定光の戻り光を検出して、前記いずれかの反射面に対する他の反射面の偏差を求め、前記色合成光学素子の良否を判定する良否判定ステップとを備えることが好ましい。
【００１６】
このような場合には、例えば、以下のような手順で実施される。
まず、各位置調整手順が終了した後に、測定光導入ステップにおいて、いずれか１つの反射面のみに測定光を導入し、戻り光検出ステップにおいて、この導入された測定光の戻り光を検出する。
次に、測定光切替ステップにおいて、前述した反射面の延出方向に沿った他の反射面のみに測定光が導入されるような切替え処理を行ってから、他の反射面のみに測定光を導入する。
次に、良否判定手順において、切り替え後の測定光の戻り光を検出して、最初の反射面での戻り光の位置と他の反射面での戻り光の位置とを比較し、これらの戻り光同士の偏差を取得し、取得された偏差が所定規格値の範囲内にあるか否かを判定する。これにより、色合成光学系の良否を判定する。
【００１７】
このような良否判定手順を実施することにより、取得された偏差に基づいて、各組みの反射面を構成する２つの反射面間の相対的な位置、すなわち、２つの反射面間のなす角度を簡単に取得できる。この際、取得した偏差が規格値内か否かを判定して、規格値の範囲内のものだけを良品とすることにより、より高精度に構成された色合成光学系だけを選択的に製造できる。
【００１８】
本発明に係る色合成光学系の製造装置は、入射する複数の光束の光軸と直交する方向から見て、入射角略４５度となるように略Ｘ字状に配置される４つの反射面を有し、略Ｘ字状の一方の延出方向に沿った一組の反射面が、他の一組の反射面と異なる波長域の光束を反射するように構成された色合成光学素子と、この色合成光学素子における前記Ｘ字状の反射面に交差する端面に接着固定される固定板とを備える色合成光学系の製造装置であって、前記固定板が取り付けられる台座と、この台座に取り付けられた固定板に対する前記色合成光学素子の位置調整を行う位置調整機構と、前記４つの反射面のいずれかの反射面に入射角略４５度で測定光を導入する測定光導入部と、導入された測定光の戻り光を検出する戻り光検出部と、前記測定光を、前記いずれかの反射面の延出方向に沿った他の反射面に切り替えて導入する測定光切替部とを備えることを特徴とする。
【００１９】
本発明では、例えば、以下のような手順で色合成光学系を製造する。
まず、固定板を台座に設置した後に、真空吸着等の手段により色合成光学素子を位置調整機構に保持させ、固定板と色合成光学素子とを当接した状態とする。次に、固定板に形成された基準位置に対して、色合成光学素子の交線の位置を合致させて、固定板に対する色合成光学素子の基準位置を調整する。
次に、測定光切替部を操作して、交線で区画される２つの領域のうちのいずれか一方の領域の反射面のみに入射角略４５度で測定光を導入し、戻り光検出部で測定光の戻り光を検出する。そして、測定光の位置と検出された戻り光の位置との偏差がなくなるように、位置調整機構で色合成光学素子の位置を調整する。最後に、位置調整された色合成光学素子と固定板とを接着剤等で接着固定することにより、色合成光学系を製造する。
【００２０】
このように測定光と戻り光との位置を合致させて位置調整するため、固定板に対する色合成光学素子の平面的な位置に加えて、倒れ方向の位置も調整でき、固定板に対する色合成光学素子の取り付け精度を向上できる。これにより、色合成光学系の品質のばらつきを減少でき、製造コストを抑えて効率的に色合成光学系を製造できる。
また、一組の反射面のいずれかの反射面のみに測定光を導入し、その戻り光を検出して色合成光学素子の位置を調整するため、延出方向に沿った反射面間に微小なずれがあっても、検出される戻り光が常に１つとなって、固定板に対する色合成光学素子の位置を精度良く調整できる。
【００２１】
以上の色合成光学系の製造装置において、前記一組の反射面および他の一組の反射面が交わる交線の画像を取り込む基準位置画像処理部を備えることが好ましい。
この場合には、基準位置画像処理部で交線画像を取り込むことにより、固定板の基準位置に交線を正確にかつ自動的に合わせることができ、固定板に対する色合成光学素子の取り付け精度を向上できる。
【００２２】
以上の色合成光学系の製造装置において、前記測定光導入部および前記戻り光導入部は、オートコリメータとして一体的に構成されていることが好ましい。
この場合には、オートコリメータとして、測定光導入部と戻り光検出部とが一体的に構成された１つの機器となるので、測定光導入部と戻り光検出部とを別々に配置する場合に比べて装置の小型化を図ることができる。
【００２３】
以上の色合成光学系の製造装置において、前記戻り光検出部に接続された撮像素子で撮像された戻り光の画像を、画像取込装置を介して取り込んで画像処理を行う画像処理部を備えることが好ましい。
この場合には、撮像素子等で撮像された戻り光の画像を、画像取込装置で取り込んで画像処理を行うので、戻り光の検出を正確で、かつ自動的に実施でき、色合成光学素子の取り付け精度の向上に加えて、取り付け作業の迅速化および簡素化を図ることができる。
【００２４】
ここで、前記画像処理部を備える色合成光学系の製造装置において、前記画像処理部における前記いずれか一組の反射面を構成する反射面のそれぞれで反射した戻り光の画像処理結果に基づいて、２つの反射面間の角度を測定する角度測定部と、この測定された角度が規格値の範囲内であるか否かを判定する良否判定部とを備えることが好ましい。
この場合には、角度測定部で２つの反射面間の角度を測定し、この測定された角度が規格値の範囲内であるか否かを良否判定部が判定して、規格値の範囲内のものだけを良品とすることにより、より高精度に構成された色合成光学素子だけを選択的に製造できる。
なお、画像処理部には、測定された角度が規格値の範囲外と判定された場合に、警報を発生させる警報発生部を設けてもよい。この場合には、警報発生部で発生された警報により、作業者は、当該製造品が不良品であることを迅速に把握でき、良品への不良品の混入を確実に防止できる利点がある。
【００２５】
以上の色合成光学系の製造装置において、前記反射面で反射された光束を反射して戻り光として前記戻り光検出部に導入する反射部材を備えることが好ましい。
この場合には、反射部材で確実に反射させた光束を戻り光にできるので、例えば、プリズム等の端面で反射した光束を戻り光とする場合に比べて、戻り光を明るくできて、戻り光検出部での検出を容易にできる。
【００２６】
本発明に係る色合成光学系は、以上のような色合成光学系の製造方法により製造されることを特徴とする。また、本発明に係るプロジェクタの製造方法は、以上のような色合成光学系の製造方法を含むことを特徴とする。
これらの場合には、前述した色合成光学系の製造方法または色合成光学系の製造装置と略同様の作用、効果を奏することができ、これにより、色合成光学系において各色光を高精度に合成できて、鮮明な投写画像を観察者に提供できる。
【００２７】
【発明の実施の形態】
以下、本発明に係る一実施形態を図面に基づいて説明する。
［１．プロジェクタの構造］
図１は、色合成光学系としてのプリズムユニットを備えるプロジェクタ１を模式的に示す図である。図２は、プロジェクタ１の内部側を示す斜視図である。
プロジェクタ１は、図１，２に示すように、外装ケース内に収容された電源ユニット３と、同じく外装ケース内に配置された平面Ｕ字形の光学ユニット４とを備え、全体略直方体状となっている。
【００２８】
電源ユニット３は、電源３１と、この電源３１の側方に配置されたランプ駆動回路（バラスト）３２とを備える。
電源３１は、電源ケーブルを通して供給された電力をランプ駆動回路３２や図示しないドライバーボード等に供給するものであり、前記電源ケーブルが差し込まれるインレットコネクタ３３を備える。ランプ駆動回路３２は、電力を光学ユニット４の光源ランプ４１１に供給するものである。
【００２９】
［２．光学ユニットの構成］
光学ユニット４は、光源ランプ４１１から射出された光束を画像情報に応じて変調して光学像を形成するユニットであり、インテグレータ照明光学系４１と、色分離光学系４２と、リレー光学系４３と、電気光学装置４４と、色合成光学系としてのプリズムユニット５０と、投写レンズ４６と、これらの光学系４１〜４４，５０を収納する合成樹脂製のライトガイド４７とを備える。
【００３０】
インテグレータ照明光学系４１は、電気光学装置４４を構成する３枚の液晶パネル４４１（赤、緑、青の色光毎にそれぞれ液晶パネル４４１Ｒ，４４１Ｇ，４４１Ｂと示す）の画像形成領域をほぼ均一に照明するための光学系であり、光源装置４１３と、第１レンズアレイ４１８と、第２レンズアレイ４１４と、偏光変換素子４１５と、第１コンデンサレンズ４１６と、反射ミラー４２４と、第２コンデンサレンズ４１９とを備える。
【００３１】
光源装置４１３は、放射状の光線を射出する放射光源としての光源ランプ４１１と、この光源ランプ４１１から射出された放射光を反射するリフレクタ４１２とを備える。光源ランプ４１１は、高圧水銀ランプであるが、ハロゲンランプやメタルハライドランプとしてもよい。リフレクタ４１２としては、放物面鏡を用いている。なお、放物面鏡の他、平行化レンズ（凹レンズ）とともに楕円面鏡を用いた構成としてもよい。
【００３２】
第１レンズアレイ４１８は、光軸方向から見てほぼ矩形状の輪郭を有する小レンズがマトリクス状に配列された構成を有する。各小レンズは、光源ランプ４１１から射出される光束を、複数の部分光束に分割する。各小レンズの輪郭形状は、液晶パネル４４１の画像形成領域の形状と略相似形をなすように設定されている。例えば、液晶パネル４４１の画像形成領域のアスペクト比（横と縦の寸法の比率）が４：３であるならば、各小レンズのアスペクト比も４：３に設定する。
【００３３】
第２レンズアレイ４１４は、第１レンズアレイ４１８と略同様な構成を有し、小レンズがマトリクス状に配列される。第２レンズアレイ４１４は、第１コンデンサレンズ４１６および第２コンデンサレンズ４１９とともに、第１レンズアレイ４１８の各小レンズの像を液晶パネル４４１上に結像させる機能を有する。
【００３４】
偏光変換素子４１５は、第２レンズアレイ４１４と第１コンデンサレンズ４１６との間に配置されるとともに、第２レンズアレイ４１４と一体でユニット化されている。この偏光変換素子４１５は、第２レンズアレイ４１４からの光を１種類の偏光光に変換するものであり、これにより、電気光学装置４４での光の利用効率が高められている。
【００３５】
具体的に、偏光変換素子４１５によって１種類の偏光光に変換された各部分光は、第１コンデンサレンズ４１６および第２コンデンサレンズ４１９によって最終的に電気光学装置４４の液晶パネル４４１Ｒ，４４１Ｇ，４４１Ｂ上にほぼ重畳される。偏光光を変調するタイプの液晶パネル４４１を用いたプロジェクタ１では、１種類の偏光光しか利用できないため、他種類のランダムな偏光光を発する光源ランプ４１１からの光のほぼ半分が利用されない。そこで、偏光変換素子４１５を用いることにより、光源ランプ４１１からの射出光を全て１種類の偏光光に変換し、電気光学装置４４での光の利用効率を高めている。
【００３６】
色分離光学系４２は、２枚のダイクロイックミラー４２１，４２２と、反射ミラー４２３とを備え、ダイクロイックミラー４２１、４２２によりインテグレータ照明光学系４１から射出された複数の部分光束を赤、緑、青の３色の色光に分離する機能を有している。
【００３７】
リレー光学系４３は、入射側レンズ４３１、リレーレンズ４３３、および反射ミラー４３２、４３４を備え、色分離光学系４２で分離された色光、青色光を液晶パネル４４１Ｂまで導く機能を有している。
【００３８】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色用の液晶パネル４４１Ｒに達する。このフィールドレンズ４１７は、第２レンズアレイ４１４から射出された各部分光束をその中心軸（主光線）に対して平行な光束に変換する。他の液晶パネル４４１Ｇ、４４１Ｂの光入射側に設けられたフィールドレンズ４１７も同様である。
【００３９】
ダイクロイックミラー４２１を透過した青色光と緑色光のうちで、緑色光はダイクロイックミラー４２２によって反射し、フィールドレンズ４１７を通って緑色用の液晶パネル４４１Ｇに達する。一方、青色光はダイクロイックミラー４２２を透過してリレー光学系４３を通り、さらにフィールドレンズ４１７を通って青色光用の液晶パネル４４１Ｂに達する。なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４１７に伝えるためである。
【００４０】
電気光学装置４４は、３枚の光変調装置としての液晶パネル４４１Ｒ，４４１Ｇ，４４１Ｂを備え、これらは、例えば、ポリシリコンＴＦＴをスイッチング素子として用いたものであり、色分離光学系４２で分離された各色光は、これら３枚の液晶パネル４４１Ｒ，４４１Ｇ，４４１Ｂによって、画像情報に応じて変調されて光学像を形成する。
【００４１】
［３．色合成光学系の構造］
プリズムユニット５０は、ライトガイド４７の所定位置に取り付けられて、３枚の液晶パネル４４１Ｒ，４４１Ｇ，４４１Ｂで変調され射出された各色光を合成してカラー画像を形成するものであり、色合成光学素子としてのクロスダイクロイックプリズム４５と、このクロスダイクロイックプリズム４５の端面に接着固定される固定板４４７とを備えて構成される。
【００４２】
図３は、クロスダイクロイックプリズム４５を分解して示す平面図である。
クロスダイクロイックプリズム４５は、図３に示すように、３枚の液晶パネル４４１Ｒ，４４１Ｇ，４４１Ｂ（図１）から射出された各色光を合成してカラー画像を形成する機能を有し、４つの直角プリズム４５１を各界面に沿って貼り合わせて形成された略立方体状である。
これらの界面において、延出方向に沿った２つの面５０１，５０２の一組である赤色反射面５００には、所定波長域を有する赤色光を反射する図示しない誘電体多層膜が設けられている。
また、延出方向に沿った他の２つの反射面５１１，５１２の一組である青色反射面５１０には、前述とは異なる波長域を有する青色光を反射する誘電体多層膜が設けられている。
【００４３】
従って、クロスダイクロイックプリズム４５の内部には、４つの反射面５０１，５０２，５１１，５１２が、互いに９０度の直角なＸ字状に配置されることになる。また、２つの色反射面５００，５１０の交線５２０は、クロスダイクロイックプリズム４５の中心位置を示す線である。クロスダイクロイックプリズム４５で合成されたカラー画像は、投写レンズ４６から射出され、スクリーン上に拡大投写される。
【００４４】
なお、本実施形態のクロスダイクロイックプリズム４５とは別に、赤色反射面５００と青色反射面５１０とが反対の位置とされたクロスダイクロイックプリズムも採用できる。ただし、以下の説明では、前述したクロスダイクロイックプリズム４５で説明する。
【００４５】
図４は、プリズムユニット５０を含む光学部品の構造を示す斜視図である。図５は、固定板４４７を示す平面図である。
固定板４４７は、図４，５に示すように、平面視略正方形の固定板本体４４８と、この固定板本体４４８の四隅から外側へ突出した四つの腕部４４７Ａとを備える。
固定板本体４４８は、中央部分に球状の膨出部４４７Ｃを有する。また、固定板本体４４８における正方形の対角線の位置に、膨出部４４７Ｃの頂上部分、すなわち固定板本体４４８の中心部分である基準点４４７Ｃ１で交差する略Ｘ字状の基準線４４７Ｄが形成されている。
各腕部４４７Ａには、丸孔４４７Ｂが１つずつ設けられている。これらの丸孔４４７Ｂのうち対角となる位置の二つの丸孔４４７Ｂは、ライトガイド４７に形成された位置出し用の突部に嵌合される孔であり、残りの二つの丸孔４４７Ｂは、ライトガイド４７に螺合されるネジ挿通用の孔である。
【００４６】
ここで、図４，５を参照し、電気光学装置４４およびプリズムユニット５０を含んで一体的に構成された光学部品の構造について説明する。
図４に示すように、各液晶パネル４４１Ｒ，４４１Ｇ，４４１Ｂは、保持枠４４３内に収納され、この保持枠４４３の四隅部分に形成された孔４４３Ａに透明樹脂製のピン４４５を紫外線硬化型接着剤とともに挿入することにより、クロスダイクロイックプリズム４５の側面である光束入射面側に金属製の固定用プレート４４６を介して接着されている。
【００４７】
また、保持枠４４３には、矩形状の開口部４４３Ｂが形成されている。各液晶パネル４４１Ｒ，４４１Ｇ，４４１Ｂは、開口部４４３Ｂで露出し、この部分が画像形成領域となる。すなわち、各液晶パネル４４１Ｒ，４４１Ｇ，４４１Ｂの画像形成領域に各色光Ｒ，Ｇ，Ｂが導入され、画像情報に応じて光学像が形成される。一体化された液晶パネル４４１Ｒ，４４１Ｇ，４４１Ｂおよびプリズムユニット５０を含んで構成される光学部品は、クロスダイクロイックプリズム４５の上面４５Ａ（光束入射面に対して直交する面）に接着された固定板４４７を介して下ライトガイド４７１に固定される。
【００４８】
ライトガイド４７は、図２に示すように、各光学部品４１４〜４１９，４２１〜４２４，４３１〜４３４を上方からスライド式に嵌め込む溝部がそれぞれ設けられた下ライトガイド４７１と、下ライトガイド４７１の上部の開口側を閉塞する蓋状の上ライトガイド（図示略）とを備える。
また、ライトガイド４７の光射出側にはヘッド部４９が形成されている。ヘッド部４９の前方側に投写レンズ４６が固定され、後方側に液晶パネル４４１Ｒ，４４１Ｇ，４４１Ｂが取り付けられたプリズムユニット５０が配置される。
【００４９】
［４．色合成光学系の製造装置の構造］
図６は、色合成光学系の製造装置としてのプリズムユニット製造装置６００を示す正面図であり、図７はその平面図、図８はその側面図である。
プリズムユニット製造装置６００は、固定板４４７に対するクロスダイクロイックプリズム４５の位置を調整して接着固定することによりプリズムユニット５０を製造する装置である。プリズムユニット製造装置６００は、下側にキャスタ６０１Ａが設置され移動可能とされた装置台６０１と、この装置台６０１上に設置された製造装置本体６０２とを備える。
【００５０】
製造装置本体６０２は、図６に示すように、固定板４４７が取り付けられる台座６１０と、この固定板４４７に対するクロスダイクロイックプリズム４５の位置を調整する位置調整機構６９０と、この位置調整機構６９０とは、台座６１０を挟んだ反対側の位置であって、固定板４４７にクロスダイクロイックプリズム４５が配置された場合において、このクロスダイクロイックプリズム４５の射出端面４５Ｅに対向配置されるオートコリメータ６２０とを備える。
【００５１】
また、製造装置本体６０２は、図６〜図８に示すように、オートコリメータ６２０および固定板４４７の間に配置される測定光切替部としての切替装置６３０と、配置されるクロスダイクロイックプリズム４５の入射端面４５Ｂ，４５Ｒにそれぞれ対向配置される反射部材としての２台の反射装置６４０，６５０と、反射装置６５０の背面側に配置された前後測定ＣＣＤカメラ６６０と、クロスダイクロイックプリズム４５の入射端面４５Ｇに対向配置される左右測定ＣＣＤカメラ６７０と、これらの２台のＣＣＤカメラ６６０，６７０での検出結果を画像処理して、モニター６８２に表示するコンピュータ６８０と、各反射装置６４０，６５０の駆動を制御する図示しない駆動本体とを備える。
また、図示を省略するが、装置台６０１の近傍には、紫外線硬化型接着剤を硬化させて固定板４４７にクロスダイクロイックプリズム４５を固定するための固定用紫外線光源装置が設置されている。
なお、プリズムユニット製造装置６００において、オートコリメータ６２０から見て左側を左方向、右側を右方向、手前側を前方向、奥側を後方向とする。
【００５２】
台座６１０は、固定板４４７を含む各種の光学部品を設置するための部材であり、その上面には、前記固定板４４７の腕部４４７Ａの丸孔４４７Ｂに対応する孔が形成され、この孔と前記丸孔４４７Ｂとでねじ止めされている。
【００５３】
ここで、図９は、位置調整機構６９０を拡大して示す図である。
位置調整機構６９０は、クロスダイクロイックプリズム４５の三次元位置を調整する装置であり、装置台６０１上に支持固定された機構本体３２２と、この機構本体３２２の先端に配置されたプリズム保持部３２１とを備える。
【００５４】
プリズム保持部３２１は、緩衝部材を介して、クロスダイクロイックプリズム４５の端面を吸着して保持するものである。
また、プリズム保持部３２１の先端の当接面近傍には、図示しない紫外線照射部が設けられており、この紫外線照射部から紫外線を照射することにより、クロスダイクロイックプリズム４５を通して、クロスダイクロイックプリズム４５と固定板４４７との間に配置される図示しない紫外線硬化型接着剤を硬化できるようになっている。
【００５５】
機構本体３２２は、図９に示すように、モータ等により駆動し、プリズム保持部３２１の姿勢を調整する部分であり、プリズム保持部３２１に吸着されたクロスダイクロイックプリズム４５を三次元的に自由な位置に調整できるようになっている。
【００５６】
機構本体３２２は、装置台６０１上に固定される基部３２３と、基部３２３上面に対して移動可能に設置された平面位置調整部３２４と、この平面位置調整部３２４の先端部分に設けられた面外回転位置調整部３２５と、この面外回転位置調整部３２５の先端部分に設けられる面内回転位置調整部３２６とを備え、面内回転位置調整部３２６の先端部分には、プリズム保持部３２１が設けられている。
【００５７】
平面位置調整部３２４は、固定板４４７に対してクロスダイクロイックプリズム４５の前後方向および左右方向の位置を調整する部分であり、基部３２３上のレール３２３Ａに沿って摺動可能に設けられる左右調整部３２４Ａと、左右調整部３２４Ａ上に固定される断面略矩形枠状の係合部材３２４Ｂと、係合部材３２４Ｂの矩形枠内を摺動可能に設けられる前後調整部３２４Ｃと、前後調整部３２４Ｃ上に立設される脚部３２４Ｄと、脚部３２４Ｄの上部先端部分に設けられる上下調整部３２４Ｆと、上下調整部３２４Ｆおよび脚部３２４Ｄを接続する接続部３２４Ｅと、上下調整部３２４Ｆに設けられ、面外回転位置調整部３２５が接続される接続部３２４Ｇとを備える。
各調整部３２４Ａ、３２４Ｃは、図示しないモータなどの駆動機構により、装置台６０１における図９中紙面に直交する方向および紙面に沿った左右方向）を移動する。また、上下調整部３２４Ｆは、図示しないモータなどの駆動機構により接続部３２４Ｅに対して図９中上下方向に移動する。
【００５８】
面外回転位置調整部３２５は、固定板４４７に対してクロスダイクロイックプリズム４５の面外方向回転位置の調整（クロスダイクロイックプリズム４５におけるあおり方向の位置調整）を行うものである。
面外回転位置調整部３２５は、平面位置調整部３２４の先端部分に固定され、上下方向で円弧となるように摺動可能に設けられた第１調整部３２５Ａと、第１調整部３２５Ａに取り付けられた略扇状の調整案内部３２５Ｃと、この調整案内部３２５Ｃに沿って左右方向で円弧となるように摺動可能に設けられた第２調整部３２５Ｂとを備える。
ここで、第１調整部３２５Ａの上部に設けられた図示しないモータを回転駆動すると、第１調整部３２５Ａが摺動し、また、第２調整部３２５Ｂの上部に設けられた図示しないモータを回転すると第２調整部３２５Ｂが摺動する。これにより、固定板４４７に対してクロスダイクロイックプリズム４５の面外方向回転位置を高精度に調整できる。
【００５９】
面内回転位置調整部３２６は、固定板４４７に対してクロスダイクロイックプリズム４５の面内方向回転位置の調整を行う部分であり、面外回転位置調整部３２５の下端部に取り付けられ、面内回転位置調整部３２６と略同じ形状の孔が上下にわたって貫通した円柱状の基部３２６Ａに係合し、この基部３２６Ａの円周方向に回転自在に設けられる。そして、この面内回転位置調整部３２６の回転位置を調整することにより、固定板４４７に対してクロスダイクロイックプリズム４５の面内方向回転位置を高精度に調整できる。
【００６０】
図１０は、オートコリメータ６２０を示す模式的な断面図である。
オートコリメータ６２０は、図７，１０に示すように、クロスダイクロイックプリズム４５の射出端面４５Ｅに略垂直に測定光Ｘを導入し、その戻り光Ｙを検出する装置であり、プリズムユニット５０に対して位置調整自在とされ、オートコリメータ本体６２１と、３ＣＣＤカメラ６２５とを備える。従って、オートコリメータ６２０は、本発明における測定光導入部および戻り光検出部が一体的に構成されている。
なお、クロスダイクロイックプリズム４５の射出端面４５Ｅに対して、略垂直に測定光Ｘが導入されると、クロスダイクロイックプリズム４５の４つの反射面５０１，５０２，５１１，５１２には、入射角略４５度で測定光Ｘが導入されることになる。
【００６１】
オートコリメータ本体６２１は、測定光Ｘを射出する光源ユニット６２２と、光源ユニット６２２から射出された測定光Ｘを平行光束として射出する対物レンズ６２３と、光源ユニット６２２から射出された測定光Ｘ、およびこの測定光Ｘの戻り光Ｙを導く導光部６２４とを備える。
【００６２】
光源ユニット６２２は、対物レンズ６２３のバックフォーカス位置に配置され、ハロゲン光である測定光Ｘを射出する光源６２２Ａと、「＋」形状の透過孔が形成されたチャート６２２Ｂとを備える。光源６２２Ａから射出された測定光Ｘは、チャート６２２Ｂを通過することにより、「＋」形状を有する測定光Ｘとして導光部６２４へ射出される。
導光部６２４は、光源ユニット６２２のチャート６２２Ｂに対して、略４５度に配置されたハーフミラー６２４Ａを備え、光源ユニット６２２から射出された測定光Ｘは、ハーフミラー６２４Ａで反射された後、対物レンズ６２３で平行光束とされ外部へ射出される。
【００６３】
図１１は、３ＣＣＤカメラ６２５および処理部を示す模式図である。
３ＣＣＤカメラ６２５は、図１１に示すように、「＋」形状を有する戻り光Ｙを検出する装置であり、色分離ダイクロイックプリズム６２６、および、この色分離ダイクロイックプリズム６２６の各光射出端面６２６Ｒ，６２６Ｇ，６２６Ｂに配置される赤色用撮像素子（Ｒ−ＣＣＤ）６２７Ｒ，緑色用撮像素子（Ｇ−ＣＣＤ）６２７Ｇ，青色用撮像素子（Ｂ−ＣＣＤ）６２７Ｂを有する３ＣＣＤカメラ本体６２９と、前記コンピュータ６８０とは別のコンピュータ７００に含まれる処理部６２８とを備える。
【００６４】
色分離ダイクロイックプリズム６２６は、所定形状の３枚のプリズムを貼り合わせて構成され、「＋」形状を有する戻り光Ｙを、赤色光Ｒ、緑色光Ｇ、青色光Ｂの３色光に分離するものである。なお、実際には、戻り光Ｙは、赤色光Ｒまたは青色光Ｂに既に分離された状態で戻ってくるため、色分離ダイクロイックプリズム６２６は、３つの色光に分離するというよりも、色光ごとに光束の方向を変える機能を果たしているといえる。
各撮像素子６２７Ｒ，６２７Ｇ，６２７Ｂは、処理部６２８と電気的に接続されており、各撮像素子６２７Ｒ，６２７Ｇ，６２７Ｂで検出された画像信号は処理部６２８へ出力される。
【００６５】
図１２は、処理部６２８を含むプリズムユニット製造装置６００の機能構成を示すブロック図である。
処理部６２８は、図１２に示すように、３ＣＣＤカメラ６２５を構成する各撮像素子６２７Ｒ，６２７Ｇ，６２７Ｂ（図１１）で検出された戻り光Ｙを画像信号として取りこむ画像取込装置としてのビデオキャプチャボード６２８Ａと、このビデオキャプチャボード６２８Ａで取り込まれた画像信号の処理を行う画像処理部６２８Ｂと、この画像処理の結果に基づいて、測定光Ｘの設計上の位置および戻り光Ｙの位置の偏差を取得する偏差取得部６２８Ｄとを備える。
偏差取得部６２８Ｄは、取得した偏差に基づいて、クロスダイクロイックプリズム４５の上下方向および左右方向への位置調整量を演算して位置調整機構６９０に出力し、この演算結果に基づいて、位置調整機構６９０がクロスダイクロイックプリズム４５の位置を調整する。
【００６６】
また、処理部６２８は、偏差取得部６２８Ｄで取得した偏差に基づいて、クロスダイクロイックプリズム４５の赤色反射面５００における２つの反射面間５０１，５０２の角度、および青色反射面５１０における２つの反射面間５１１，５１２の角度を測定する角度測定部６２８Ｃと、測定された角度が規格値の範囲内にあるか否かを判定する良否判定部６２８Ｅと、良否判定部６２８Ｅで規格値の範囲外であって不良品と判定された場合に警報を発生させる警報発生部６２８Ｆとを備える。
なお、図示を省略するが、３ＣＣＤカメラ６２５の代わりに、戻り光Ｙを拡大する接眼レンズを配置して、この接眼レンズを介して、目視によって戻り光Ｙを検出する構成としてもよい。
【００６７】
ここで、図１３は、切替装置６３０を示す正面図であり、図１４は、この切替装置６３０を示す側面図である。
切替装置６３０は、図３も参照すれば、オートコリメータ６２０から射出された測定光Ｘの導入方向から見て、クロスダイクロイックプリズム４５の交線５２０によって区画される２つの領域としての左側領域ＬＡおよび右側領域ＲＡのうち、いずれか一方の領域ＬＡ，ＲＡのみに測定光Ｘを導入する、換言すれば、いずれか一方の領域ＬＡ，ＲＡのみに測定光Ｘを導入させない装置である。
また、切替装置６３０は、図１３，１４に示すように、台座６１０の前面に設置されており、測定光Ｘを遮蔽する金属製で長方形状の遮光板６３１と、この遮光板６３１の下側に固定され、台座６１０に対して左右方向に摺動自在な摺動部６３２と、この摺動部６３２の前側に固定された操作部６３３とを備える。
【００６８】
摺動部６３２は、図１４に示すように、台座６１０の前面に設置され、左右方向に延びるレール６３２Ａと、遮光板６３１の下側に固定されるとともに、レール６３２Ａに沿って摺動自在に設けられる摺動部本体６３２Ｂとを備える。この摺動部６３２は、遮光板６３１が設けられた際には、この遮光板６３１により、クロスダイクロイックプリズム４５の左側領域ＬＡおよび右側領域ＲＡのうち、一方の領域ＬＡ，ＲＡのみ覆うように設計されている。
【００６９】
操作部６３３は、摺動部本体６３２Ｂの前面にねじ止めされた長尺状の操作部本体６３３Ａと、この操作部本体６３３Ａの上端部に固定されたハンドル６３３Ｂと、操作部本体６３３Ａの下端部および台座６１０の前面固定された軸部材６３３Ｃとを備える。これにより、ハンドル６３３Ｂは、軸部材６３３Ｃを軸として回動可能となっている。
【００７０】
以上まとめれば、ハンドル６３３Ｂの回動に応じて、摺動部本体６３２Ｂがレール６３２Ａに沿って左右方向に摺動するので、摺動部本体６３２Ｂに固定された遮光板６３１も左右方向に移動し、結果として、ハンドル６３３Ｂの操作により、クロスダイクロイックプリズム４５の左側領域ＬＡおよび右側領域ＲＡのうちの一方の領域ＬＡ，ＲＡのみを覆うことができるようになっている。
【００７１】
反射装置６４０は、オートコリメータ６２０からクロスダイクロイックプリズム４５に導入され、赤色反射面５００で反射された測定光Ｘを反射して、戻り光Ｙとしてオートコリメータ６２０に戻す装置である。反射装置６４０は、図７に示すように、クロスダイクロイックプリズム４５の入射端面４５Ｒに対向配置された矩形状の反射ミラー６４１と、この反射ミラー６４１を支持する支持板６４２を介して、反射ミラー６４１の水平面回転方向および垂直面傾き方向の位置を、前記駆動本体のモータ等の駆動を制御して調整する２軸調整部６４３とを備える。
【００７２】
反射装置６５０は、オートコリメータ６２０からクロスダイクロイックプリズム４５に導入され、青色反射面５１０で反射された測定光Ｘを反射して、戻り光Ｙとしてオートコリメータ６２０に戻す装置である。反射装置６５０は、図７に示すように、クロスダイクロイックプリズム４５の入射端面４５Ｂに対向配置された反射ミラー６５１と、この反射ミラー６５１を右側で支持するとともに、クロスダイクロイックプリズム４５の交線５２０に対応する位置に開口部６５２Ａ（図８）が形成された支持板６５２と、この支持板６５２の三次元位置を、前記駆動本体のモータ等の駆動を制御して調整することにより、反射ミラー６５１の水平面回転方向および垂直面傾き方向の位置を調整する２軸調整部６５３とを備える。なお、反射ミラー６４１，６５１は同じものであり、２軸調整部６４３，６５３も同じものである。
【００７３】
前後測定ＣＣＤカメラ６６０は、クロスダイクロイックプリズム４５の交線５２０を、反射装置６５０の右側（背面側）から検出するものであり、コンピュータ６８０と電気的に接続されている。この前後測定ＣＣＤカメラ６６０は、図７，８に示すように、交線５２０を撮像する交線撮像部としてのＣＣＤカメラ本体６６１と、このＣＣＤカメラ本体６６１を、前後方向および左右方向のいずれの方向に移動自在に構成された所定のマイクロメータ６６２とを備える。
【００７４】
左右測定ＣＣＤカメラ６７０は、クロスダイクロイックプリズム４５の交線５２０を、クロスダイクロイックプリズム４５の後側から検出するものであり、前後測定ＣＣＤカメラ６６０と同じ構成である。左右測定ＣＣＤカメラ６７０は、所定のマイクロメータ６７２によって、ＣＣＤカメラ本体６７１を左右方向および前後方向のいずれの方向にも移動自在に構成されている。
従って、マイクロメータ６６２，６７２によって、ＣＣＤカメラ本体６６１，６７１を前後方向および左右方向に位置調整することにより、ＣＣＤカメラ６６０，６７０で撮像される交線画像におけるフォーカス調整および基準位置合わせが可能となっている。
【００７５】
コンピュータ６８０は、２台のＣＣＤカメラ６６０，６７０で検出されたクロスダイクロイックプリズム４５の交線画像の処理、および４つの反射面５０１，５０２，５１１，５１２の接合状態の判定を行うものであり、図７に示すように、各種プログラムを実行するＣＰＵや記憶装置等を有する本体６８１と、この本体６８１で処理および判定された結果を表示するモニター６８２とを備える。
【００７６】
本体６８１は、図１５に示すように、２台のＣＣＤカメラ６６０，６７０でそれぞれ検出された交線５２０の画像をコンピュータ用の画像信号に変換するビデオキャプチャボード６８１Ａと、この変換された画像信号を処理する基準位置画像処理部としての画像処理部６８１Ｂと、処理された交線画像における幅および基準軸からの傾斜を演算する交線演算部６８１Ｃと、演算された結果に基づいて良否を判定する接合状態判定部６８１Ｄと、ＣＣＤカメラ６６０，６７０毎に処理された交線画像および判定結果をそれぞれのモニター６８２に表示させる表示部６８１Ｅとを備える。
【００７７】
［５．色合成光学系の製造方法］
次に、図１６の模式図等を参照しながら、図１７に基づいて、色合成光学系であるプリズムユニット５０の製造方法について説明する。
なお、製造時には、図１６に示すように、実際にプロジェクタ１に取り付けられる状態とは上下逆さにした状態で、クロスダイクロイックプリズム４５および固定板４４７が接着されてプリズムユニット５０が製造される。
【００７８】
［準備工程］
まず、準備工程としてプリズムユニット製造装置６００を構成する各装置の位置調整を行う（処理Ｓ１）。具体的には、図１８に示すフロー図に基づいて行う。まず、オートコリメータ６２０の位置を特定し固定する（処理Ｓ１１）。
具体的には、図示を省略するが、ミラー面を含む基準ミラーブロックを準備して、このミラー面がオートコリメータ６２０に対向するように台座６１０に配置する。この状態で、オートコリメータ６２０から測定光Ｘを射出し、ミラー面で反射された戻り光Ｙを検出して、測定光Ｘを示す位置と戻り光Ｙを示す位置の画像とを一致させて、オートコリメータ６２０の位置を調整して固定する。
【００７９】
次に、反射装置６４０，６５０における各反射ミラー６４１，６５１の位置を固定する（処理Ｓ１２）。
具体的には、図示を省略するが、斜面がミラー面とされた略直角三角柱のダミー三角プリズムを、そのミラー面が赤色反射面５００の位置となるように台座６１０に配置する。この状態で、オートコリメータ６２０から測定光Ｘを射出し、前記ミラー面および反射ミラー６４１で反射され、再度、前記ミラー面で反射された戻り光Ｙを検出して、測定光Ｘを示す位置と戻り光Ｙを示す位置の画像とを一致させ、反射ミラー６４１の位置を２軸調整部６４３により調整して固定する。同様に、前記ダミー三角プリズムを、そのミラー面が青色反射面５１０の位置となるように入れ替え配置し、反射ミラー６５１の位置を２軸調整部６５３により調整して固定する。
【００８０】
次に、２台のＣＣＤカメラ６６０，６７０の位置を固定する（処理Ｓ１３）。具体的には、図１９に示すように、金属やガラス製等の略直方体状のエッジ検出用ブロック７０１と、クロスダイクロイックプリズム４５の半分の厚さの直方体状のダミーガラス７０２とを用意する。
【００８１】
次に、ブロック７０１の頂点７０１Ａが中心位置Ｃになるとともに、ブロック７０１の稜線７０１Ｂが前後方向および左右方向に正確に位置するように、台座６１０上にブロック７０１を配置する。また、ブロック７０１と前後測定ＣＣＤカメラ６６０との間には、ガラス中と空気中との屈折率の相違によるフォーカスずれ防止用のダミーガラス７０２を前後測定ＣＣＤカメラ６６０の光軸に対して垂直に配置する。この状態で、前後測定ＣＣＤカメラ６６０によってブロック７０１の稜線７０１Ｂを撮像し、前後測定ＣＣＤカメラ６６０をダミーガラス７０２方向（図中の上下方向）に進退させることにより、取りこんだ画像のフォーカス調整を行う。この後、ブロック７０１の稜線７０１Ｂの画像を、中心位置Ｃを示す基準位置に合致させるように、前後測定ＣＣＤカメラ６６０を図中の左右方向に位置調整する。
【００８２】
次に、ブロック７０１はそのままで、ブロック７０１と左右測定ＣＣＤカメラ６７０との間に、左右測定ＣＣＤカメラ６７０の光軸に対して垂直に、ダミーガラス７０２を入れ替えて配置する。この状態で、左右測定ＣＣＤカメラ６７０によりブロック７０１の稜線７０１Ｃを撮像し、左右測定ＣＣＤカメラ６７０をダミーガラス７０２方向（図中の左右方向）に進退させて、取りこんだ画像のフォーカス調整を行う。この後、ブロック７０１の稜線７０１Ｂの画像を、中心位置Ｃを示す基準位置に合致させるように、左右測定ＣＣＤカメラ６７０を図中の上下方向に位置調整する。以上のように２台のＣＣＤカメラ６６０，６７０の位置を調整し固定する。
【００８３】
この後、台座６１０に固定板４４７をねじ止め固定する（処理Ｓ１４）。
以上により準備工程が完了する。
【００８４】
［位置調整工程］
次に、台座６１０に固定された固定板４４７に対して、クロスダイクロイックプリズム４５の空間的な位置を調整する（処理Ｓ２）。具体的には、図２０に示すフロー図に基づいて行われる。
【００８５】
固定板４４７の接着面に対するクロスダイクロイックプリズム４５の平面的な位置を調整する（処理Ｓ２１：基準位置調整手順）。
まず、固定板４４７の接着面に、流動状態である図示しない紫外線硬化型接着剤を塗布しておく。この状態でプリズム保持部３２１によりクロスダイクロイックプリズム４５の端面を真空吸着して保持し、上下調整部３２４Ｆの駆動により、固定板４４７にクロスダイクロイックプリズム４５を当接させる。
次に、前後方向ＣＣＤカメラ６６０および左右方向ＣＣＤカメラ６７０で、クロスダイクロイックプリズム４５の後側および右側から交線５２０を撮像し、この撮像された画像をビデオキャプチャボード６８１Ａで取り込み、画像処理部６８１Ｂで画像処理して、基準点４４７Ｃ１と交線画像５２０における固定板４４７側の一端とを正確に合致させる。これにより、固定板４４７に対する交線５２０の位置、つまり、固定板４４７に対するクロスダイクロイックプリズム４５の上方から見た平面的な位置を特定する。
【００８６】
次に、位置調整された交線５２０を中心として、固定板４４７の接着面に対する各反射面５０２，５１２の回転位置を調整する（処理Ｓ２２：回転位置調整手順）。さらに、固定板４４７の接着面に対する各反射面５０２，５１２の倒れ位置も略同時に調整する（処理Ｓ２３：倒れ位置調整手順）。具体的には、図２１に示すフロー図に基づいて行われる。
【００８７】
まず、左側領域ＬＡを遮光板６３１で遮蔽した状態で、オートコリメータ６２０から、入射角略４５度でクロスダイクロイックプリズム４５の端面４５Ｅに測定光Ｘを導入する（処理Ｓ２２１：測定光導入ステップ）。
この際、導入された測定光Ｘは、青色反射面５１２で反射されて青色測定光ＸＢとなり、その後、反射ミラー６５１で反射されて戻り光ＹＢとなり、この戻り光ＹＢは、青色反射面５１２で反射された後に、端面４５Ｅから射出されてオートコリメータ６２０に戻る。そして、この戻り光ＹＢの位置を３ＣＣＤカメラ６２５の撮像素子６２７Ｂで検出する（処理Ｓ２２２：戻り光検出ステップ）。
【００８８】
次に、この検出された戻り光ＹＢの画像をビデオキャプチャボード６２８Ａでこの検出信号として取り込み、画像処理部６２８Ｂで検出信号を画像処理する（処理Ｓ２２３）。この際、処理された画像をディスプレイＤ（図２２）に表示するとともに、コンピュータ７００内のメモリ等に記憶させる。
【００８９】
次に、偏差取得部６２８Ｄにおいて、画像処理部６２８Ｂでの画像処理結果に基づいて、予め設定された測定光Ｘの設計上の位置である基準位置と、戻り光Ｙの処理画像位置との偏差量、具体的には、図２２に示すディスプレイＤ上の左右方向の偏差量Ｄ２を取得し、この偏差量Ｄ２に基づいて、図２３に示すように、基準位置に対する青色反射面５１２の回転偏差量θＢ１を演算して、この演算結果を位置調整機構６９０に出力する（処理Ｓ２２４）。
【００９０】
これにより、位置調整機構６９０は、回転偏差量θＢ１が略ゼロとなるように、面内回転位置調整部３２６の駆動により、クロスダイクロイックプリズム４５の青色反射面５１２の回転位置を調整する（処理Ｓ２２５：反射面回転位置調整ステップ）。
【００９１】
同様にして、偏差取得部６２８Ｄで取得した偏差量Ｄ１に基づいて、図２４に示すように、基準位置に対する倒れ量θＢ２すなわち照明光軸に対するあおり量を演算し、この演算結果に基づいて、位置調整機構６９０は、倒れ量θＢ２が略ゼロとなるように、面外回転位置調整部３２５の駆動により、クロスダイクロイックプリズム４５の青色反射面５１２の倒れ位置を調整する（処理Ｓ２２６：反射面倒れ位置調整ステップ）。
【００９２】
同様の手順により、オートコリメータ６２０から測定光Ｘを射出して、赤色反射面５０２および反射ミラー６４１で反射された赤色戻り光ＹＲを３ＣＣＤカメラ６２５の撮像素子６２７Ｒで検出し、図２４，２５に示す回転偏差量θＲ１および倒れ量θＲ２を演算し、位置調整機構６９０は、クロスダイクロイックプリズム４５の赤色反射面５０２の回転位置および倒れ位置を調整する（処理Ｓ２２７）。
【００９３】
なお、回転偏差量θＢ１，θＲ１および倒れ量θＢ２，θＲ２の良品範囲を±５秒に設定しており、これらの良品範囲内となるように調整する。
以上の手順により、クロスダイクロイックプリズム４５の右側領域ＲＡの反射面５０２，５１２を基準とした調整を行う。
【００９４】
［位置検査工程］
次に、遮光板６３１をセットした状態で、色合成光学系５０のクロスダイクロイックプリズム４５における各反射面５０１，５０２，５１１，５１２間の相対位置を検査する（処理Ｓ３）。具体的には、図２５に示すフロー図に基づいて行われる。
オートコリメータ６２０から、右側領域ＲＡに測定光Ｘを射出し、反射ミラー６４１，６５１で反射された戻り光Ｙを３ＣＣＤカメラ６２５で検出する（処理Ｓ３１：測定光導入ステップ，戻り光検出ステップ）。より具体的には、測定光Ｘのうち、青色光ＸＢは青色反射面５１０で反射された後、反射ミラー６５１で反射されて青色戻り光ＹＢとなり、再度、青色反射面５１０で反射されて、オートコリメータ６２０に戻る。その後、この青色戻り光ＹＢの位置を３ＣＣＤカメラ６２５の撮像素子６２７Ｂで検出し、ビデオキャプチャボード６２８Ａでこの検出信号を取り込み、画像処理部６２８Ｂでこの検出信号を画像処理する。この処理された画像をディスプレイＤに表示するとともに、コンピュータ内のメモリ等に記憶する。一方、赤色光も前記青色光と同様に、測定光Ｘのうち、赤色光ＸＲは赤色反射面５０２で反射された後、反射ミラー６４１で反射されて赤色戻り光ＹＲとなり、再度、赤色反射面５０２で反射されて、オートコリメータ６２０に戻る。その後、この赤色戻り光ＹＲの位置を３ＣＣＤカメラ６２５の撮像素子６２７Ｒで検出し、ビデオキャプチャボード６２８Ａでこの検出信号を取り込み、画像処理部６２８Ｂでこの検出信号を画像処理する。この処理された画像をディスプレイＤに表示するとともに、コンピュータ内のメモリ等に記憶する。
【００９５】
次に、切替装置６３０のハンドル６３３Ｂを操作して、右側領域ＲＡを遮光板６３１で遮蔽した状態で、左側領域ＬＡに測定光Ｘを射出し、反射ミラー６５１で反射された青色戻り光ＹＢと反射ミラー６４１で反射された赤色戻り項ＹＲとを３ＣＣＤカメラ６２５で検出する（処理Ｓ３２：測定光切替ステップ）。
図２６には、右側領域ＲＡの青色反射面５１２と左側領域ＬＡの青色反射面５１１とがずれている場合の検出結果を示す。角度測定部６２８Ｃは、上下方向の偏差量ＤＢ１に基づいて、図２７に示すように、右側領域ＲＡの青色反射面５１２を基準にした左側領域ＬＡの青色反射面５１１の水平偏差量ＰＢ、すなわち、反射面５１１，５１２同士の延出方向からの偏差量（角度）を算出する（処理Ｓ３３）。
【００９６】
次に、図２６に示す左右方向の偏差量ＤＢ２に基づいて、右側領域ＲＡの青色反射面５１２を基準にした左側領域ＬＡの青色反射面５１１の角度である垂直偏差量ＱＢ（図示略）を算出する（処理Ｓ３４）。
前記青色光の場合と同様に、角度測定部６２８Ｃは、図２６に示す右側領域ＲＡの赤色反射面５０２と左側領域ＬＡの赤色反射面５０１との各偏差量ＤＲ１，ＤＲ２に基づいて、図２７に示す赤色反射面５０２を基準とした赤色反射面５０１の水平偏差量ＰＲおよび垂直偏差量ＱＲ（図示略）を算出する（処理Ｓ３５）。
【００９７】
良否判定部６２８Ｅにおいて、算出された水平偏差量ＰＢ，ＰＲおよび垂直偏差量ＱＢ，ＱＲが、所定の規格値の範囲内にあるか否かについて判定する（処理Ｓ３６：判定ステップ）。判定の結果、規格値の範囲内であった場合には、良品と判定される（処理Ｓ３７）。一方、規格値の範囲外と判定された場合には、不良品と判定され（処理Ｓ３８）、警報発生部６２８Ｆから警報が発せられる（処理Ｓ３９）。
なお、水平偏差量ＰＢ，ＰＲおよび垂直偏差量ＱＢ，ＱＲの良品範囲は±５秒である。
【００９８】
次に、前記基準位置調整手順で調整しているが、固定板４４７とクロスダイクロイックプリズム４５との相対的な位置としての当接状態を検査する。
まず、前後測定ＣＣＤカメラ６６０のＣＣＤカメラ本体６６１で交線５２０を撮像し、この撮像され画像処理された交線５２０に基づいて、交線演算部６８１Ｃにおいて、図２８に示すように、基準線に対する交線５２０の前後方向偏差量Ｔ１と、交線５２０の幅寸法Ｔ２と、基準線に対する傾斜φとを算出する。交線５２０の幅寸法Ｔ２を測定したので、交線５２０の幅寸法Ｔ２が基準よりも大きくなる場合には、延出する２つの反射面５０１，５０２，５１１，５１２間に平行移動ずれが生じていることが確認できる。
【００９９】
前述と同様に、左右測定ＣＣＤカメラ６７０におけるＣＣＤカメラ本体６７１で交線５２０を撮像することにより、基準線に対する交線５２０の左右方向偏差量Ｔ１と、交線５２０の幅寸法Ｔ２と、基準線に対する傾斜φとを算出する。
【０１００】
次に、測定した各偏差Ｔ１，Ｔ２，φがすべて良品の範囲にあるか否かについて接合状態判定部６８１Ｄで判定する。これらの偏差が範囲内にあれば良品と判定し、範囲外であれば不良品と判定する。なお、前後方向偏差量Ｔ１の良品範囲は±０．０５ｍｍである。また、幅寸法Ｔ２および傾斜φの良品範囲も適宜設定されている。
【０１０１】
［接着固定工程］
次に、位置調整されたクロスダイクロイックプリズム４５の上方から、前記紫外線硬化型接着剤に対して紫外線を照射して、この紫外線硬化型接着剤を硬化させることにより、クロスダイクロイックプリズム４５を固定板４４７に接着固定する（処理Ｓ４：接着固定手順）。
以上のようにしてプリズムユニット５０を製造し、台座６１０から取り外すことにより、全ての工程が終了する（処理Ｓ５）。
【０１０２】
［６．効果］
このような本実施形態によれば、以下のような効果が得られる。
(１)固定板４４７の基準点４４７Ｃ１に対してクロスダイクロイックプリズム４５を位置調整した上で、固定板４４７に対するクロスダイクロイックプリズム４５の回転位置を調整できるとともに、クロスダイクロイックプリズム４５の各反射面５０１，５０２，５１１，５１２の倒れ位置も調整できるため、固定板４４７に対するクロスダイクロイックプリズム４５の取り付け精度を向上できる。これにより、プリズムユニット５０の品質のばらつきを抑えることができ、製造コストを抑えて効率的に製造できる。
【０１０３】
(２)基準位置を調整するにあたり、測定ＣＣＤカメラ６６０，６７０、ビデオキャプチャボード６８１Ａおよび画像処理部６８１Ｂを用いたので、固定板４４７の基準点４４７Ｃ１に交線５２０を正確にかつ自動的に合わせることができ、固定板４４７に対するクロスダイクロイックプリズム４５の取り付け精度をより一層向上できる。
【０１０４】
(３)オートコリメータ６２０から測定光Ｘを導入し、その戻り光Ｙを検出してクロスダイクロイックプリズム４５の回転位置および倒れ位置を自動調整したので、測定光Ｘの位置と戻り光Ｙの位置との間の水平，垂直位置の偏差を合致させることにより、反射面５０１，５０２，５１１，５１２の回転位置および倒れ位置を確実にかつ簡単に調整できる。
【０１０５】
(４)クロスダイクロイックプリズム４５における反射面５０１，５０２，５１１，５１２の回転位置および倒れ位置を調整するにあたり、３ＣＣＤカメラ６２５、ビデオキャプチャボード６２８Ａおよび画像処理部６２８Ｂを用いたので、戻り光Ｙの検出を正確で、かつ自動的に実施でき、クロスダイクロイックプリズム４５の取り付け精度の向上に加えて、取り付け作業の迅速化および簡素化を図ることができる。
【０１０６】
(５)角度測定部６２８Ｃで取得した反射面５０１，５０２，５１１，５１２間の角度差ＰＲ，ＰＢ，ＱＲ，ＱＢが規格値内か否かを良否判定部６２８Ｅで判定して、規格値内のものだけを良品としたので、高精度に製造されたプリズムユニット５０だけを自動的に選択できる。
【０１０７】
(６)良否判定部６２８Ｅで不良品と判定された場合に、警報発生部６２８Ｆで警報を発生するように構成したので、製造作業者は、この製造品が不良品であることを即座に把握できて、良品への不良品の混入を確実に防止できる。
【０１０８】
(７)回転位置および倒れ位置を調整するにあたり、右側領域ＲＡのみに測定光Ｘを導入し、その戻り光Ｙを検出したので、延出方向に沿った反射面５０１，５０２，５１１，５１２間に微小なずれがあっても、検出される戻り光Ｙが常に１つであるから、固定板４４７に対するクロスダイクロイックプリズム４５の位置を精度良く調整できる。
【０１０９】
(８)固定板４４７に対する反射面５０１，５０２，５１１，５１２の位置調整に加えて、反射面５０１，５０２，５１１，５１２間の相対位置も検査するように構成したので、より一層取り付け精度の高い製品だけを選択して出荷できる。
【０１１０】
(９)反射面５０１，５０２，５１１，５１２間の相対位置を検査するにあたり、オートコリメータ６２０から測定光Ｘを射出し、この測定光Ｘを色反射面５００，５１０における右側領域ＲＡおよび左側領域ＬＡに、切替装置６３０によって切り替えて検査するので、各色反射面５００，５１０における２つの反射面５０１，５０２，５１１，５１２の相対位置を簡単に検査できる。このため、クロスダイクロイックプリズム４５の良否判定精度を向上できる。また、これにより、クロスダイクロイックプリズム４５の元不良品を、紫外線（ＵＶ）照射による接着固定前に分類でき、クロスダイクロイックプリズム４５の不良品を固定板４４７に貼らなくなるので、無駄を無くすことができる。
【０１１１】
(10)測定光導入部と戻り光検出部とをオートコリメータ６２０として一体的に構成したので、測定光導入部と戻り光検出部とを別々に配置する場合に比べて、製造装置６００の小型化を図ることができる。
【０１１２】
(11)クロスダイクロイックプリズム４５の端面４５Ｒ，４５Ｂに、反射ミラー６４１，６５１を設置したので、明るい戻り光Ｙを確実に戻すことができ、オートコリメータ６２０での検出が容易となる。
【０１１３】
(12)戻り光Ｙを検出するために３ＣＣＤカメラ６２５を採用したので、例えば、戻り光Ｙを目視で検出する場合に比べて、確実に、かつ自動的に検出でき、作業者の負担を軽減できる。
【０１１４】
(13)ＣＣＤカメラ６６０，６７０で交線５２０の幅寸法Ｔ２を測定するので、各色反射面５００，５１０における２つの反射面５０１，５０２，５１１，５１２が平行移動してずれている場合でも、この平行移動分の偏差量を簡単に検査できる。また、ＣＣＤカメラ６６０，６７０で交線５２０の傾斜φを測定するので、各色反射面５００，５１０における２つの反射面５０１，５０２，５１１，５１２が測定光Ｘの光軸に垂直で基準となる軸から傾斜してずれている場合でも、この傾斜φを簡単に検査できる。同様に前後左右方向の偏差量Ｔ１も簡単に検査できる。この際、良品となる偏差量Ｔ１、幅寸法Ｔ２および傾斜φの範囲を予め設定したので、簡単に自動検査でき、より一層取り付け精度の高いものだけを選択できる。
【０１１５】
(14)切替装置６３０において、ハンドル６３３Ｂを操作するだけの比較的簡単な構造で、遮光板６３１の切り替え操作ができるので、切替装置６３０のコストを抑えることができる。
【０１１６】
(15)プロジェクタ１の製造方法は、前述したプリズムユニット５０の製造方法を含んで構成できる。したがって、プロジェクタ１は、クロスダイクロイックプリズム４５において各色光を高精度に合成でき、鮮明な画像光を投写できる。
【０１１７】
［７．変形］
なお、本発明は前記実施の形態に限定されるものではなく、本発明の目的を達成できる他の構成等を含み、以下に示すような変形等も本発明に含まれる。
例えば、前記実施形態では、クロスダイクロイックプリズム４５の端面４５Ｒ，４５Ｂに対向して反射装置６４０，６５０を配置したが、これに限らず、例えば、クロスダイクロイックプリズム４５の端面４５Ｒ，４５Ｂに反射ミラーを貼付する構成としてもよい。ただし、前記実施形態の方が、反射ミラーの位置を正確に調整できる利点がある。また、特に反射ミラー等を設けずに、各端面で反射させてもよい。
【０１１８】
前記実施形態におけるオートコリメータ６２０、ＣＣＤカメラ６６０，６７０、および位置調整機構６９０は、それぞれ手動、自動のどちらの方法で調整してもよく、特に限定されない。なお、切替装置６３０では、ハンドル６３３Ｂを手動で操作していたが、自動的に切り替わる構成としてもよい。
【０１１９】
前記実施形態において、オートコリメータ６２０に３ＣＣＤカメラ６２５を設けたが、これに限らず、単板のＣＣＤカメラや目視で検出するようにしてもよい。単板のＣＣＤカメラを採用する場合には、例えば、測定光Ｘを赤色光および青色光に切り替えて導入すればよい。なお、各色からなる複数のカラーフィルタを用意し、これらのカラーフィルタに順次戻り光Ｙを通過させて、各色光毎に戻り光検出部で戻り光Ｙを検出する構成としてもよい。
【０１２０】
前記実施形態では、オートコリメータ６２０を採用し、測定光導入部と戻り光検出部とを一体的に構成したが、測定光導入部と戻り光検出部とを別体として構成してもよい。
前記実施形態において、クロスダイクロイックプリズム４５の良品範囲は、前述の数値には限定されない。つまり、組み込まれるプロジェクタ等の光学機器の機種や目的に合わせて、適宜変更すればよい。
【０１２１】
本発明により製造されたプリズムユニットは、スクリーンを観察する方向から投写を行なうフロントタイプのプロジェクタに採用したが、これに限らず、スクリーンを観察する方向とは反対側から投写を行なうリアタイプのプロジェクタにも適用可能である。
なお、その他、本発明の実施時の具体的な構造および形状等は、本発明の目的を達成できる範囲で、他の構造等としてもよい。
【０１２２】
【発明の効果】
以上に述べたように、本発明によれば、固定板の基準位置に対して色合成光学素子を位置調整した上で、固定板に対する色合成光学素子の回転位置を調整できるとともに、色合成光学素子を構成する反射面の倒れ位置の調整も行うことができるため、上方から見た色合成光学素子の外形や交線の平面位置に基づいて位置調整する場合に比べて、固定板に対する色合成光学素子の取り付け精度を向上でき、これにより、製造コストを抑えて効率的に色合成光学系を製造できるという効果がある。
【図面の簡単な説明】
【図１】本発明の実施形態に係るプリズムユニットを備えるプロジェクタを模式的に示す図である。
【図２】前記プロジェクタの内部側を示す斜視図である。
【図３】前記プリズムユニットを構成するクロスダイクロイックプリズムを分解して示す平面図である。
【図４】前記プリズムユニットを含む光学部品の構造を示す斜視図である。
【図５】前記プリズムユニットを構成する固定板を示す平面図である。
【図６】本発明に係る色合成光学系の製造装置としてのプリズムユニット製造装置を示す正面図である。
【図７】前記プリズムユニット製造装置を示す平面図である。
【図８】前記プリズムユニット製造装置を示す側面図である。
【図９】前記プリズムユニット製造装置を構成する位置調整機構を拡大して示す図である。
【図１０】前記プリズムユニット製造装置を構成するオートコリメータを示す模式的な断面図である。
【図１１】前記オートコリメータにおける３ＣＣＤカメラの要部を示す図である。
【図１２】前記プリズムユニット製造装置を示すブロック図である。
【図１３】前記プリズムユニット製造装置を構成する切替装置を示す正面図である。
【図１４】前記切替装置を示す側面図である。
【図１５】前記実施形態におけるコンピュータを示すブロック図である。
【図１６】前記プリズムユニットを模式的に示す図である。
【図１７】前記プリズムユニットの製造方法を説明するフロー図である。
【図１８】前記実施形態における準備工程を説明するフロー図である。
【図１９】前記実施形態におけるＣＣＤカメラの調整手順を説明するための図である。
【図２０】前記実施形態における位置調整工程を説明するためのフロー図である。
【図２１】前記位置調整工程をより具体的に説明するためのフロー図である。
【図２２】前記実施形態におけるディスプレイ上の戻り光を示す図である。
【図２３】前記クロスダイクロイックプリズムの反射面の偏差を示す図である。
【図２４】前記クロスダイクロイックプリズムの反射面の偏差を示す図である。
【図２５】前記実施形態における位置検査工程を説明するフロー図である。
【図２６】前記実施形態におけるディスプレイ上の各反射面の戻り光を示す図である。
【図２７】前記クロスダイクロイックプリズムにおける反射面間の偏差を示す図である。
【図２８】前記クロスダイクロイックプリズムの反射面の接合状態を示す図である。
【符号の説明】
１  プロジェクタ
４５  色合成光学素子としてのクロスダイクロイックプリズム
５０  色合成光学系としてのプリズムユニット
４４７  固定板
４４７Ｃ１  基準位置としての基準点
５００  一組の反射面としての赤色反射面
５０１，５０２  ４つの反射面を構成する赤色反射面
５１０  他の一組の反射面としての青色反射面
５１１，５１２  ４つの反射面を構成する青色反射面
５２０  交線
６００  色合成光学系の製造装置としてのプリズムユニット製造装置
６１０  台座
６２０  オートコリメータ
６２２  測定光導入部としての光源ユニット
６２５  戻り光検出部としての３ＣＣＤカメラ
６２７Ｒ，６２７Ｇ，６２７Ｂ  撮像素子
６２８Ａ  画像取込装置としてのビデオキャプチャボード
６２８Ｂ  画像処理部
６２８Ｃ  角度測定部
６２８Ｅ  良否判定部
６３０  測定光切替部としての切替装置
６４１，６５１  反射部材としての反射ミラー
６６０，６７０  撮像素子を含むＣＣＤカメラ
６８０  コンピュータ
６８１Ａ  画像取込装置としてのビデオキャプチャボード
６８１Ｂ  基準位置画像処理部
６９０  位置調整機構
７００  コンピュータ
Ｘ  測定光
Ｙ  戻り光
【図１】
0003637907.tif 000002
【図２】
0003637907.tif 000003
【図３】
0003637907.tif 000004
【図４】
0003637907.tif 000005
【図５】
0003637907.tif 000006
【図６】
0003637907.tif 000007
【図７】
0003637907.tif 000008
【図８】
0003637907.tif 000009
【図９】
0003637907.tif 000010
【図１０】
0003637907.tif 000011
【図１１】
0003637907.tif 000012
【図１２】
0003637907.tif 000013
【図１３】
0003637907.tif 000014
【図１４】
0003637907.tif 000015
【図１５】
0003637907.tif 000016
【図１６】
0003637907.tif 000017
【図１７】
0003637907.tif 000018
【図１８】
0003637907.tif 000019
【図１９】
0003637907.tif 000020
【図２０】
0003637907.tif 000021
【図２１】
0003637907.tif 000022
【図２２】
0003637907.tif 000023
【図２３】
0003637907.tif 000024
【図２４】
0003637907.tif 000025
【図２５】
0003637907.tif 000026
【図２６】
0003637907.tif 000027
【図２７】
0003637907.tif 000028
【図２８】
0003637907.tif 000029